(57)【特許請求の範囲】
【請求項１】
パンツ内部の排泄物を排出パイプ内に吸引してパンツ外部に排出すると共に、パンツ内部を洗浄する介護用パンツを備えた装置において、
排泄物を排出パイプ内に取込む際は、人体の排泄部を取り囲むように開いた状態となり、排泄物を外部に排出する際は、排出パイプ内に引き込まれる状態となる排泄物取込部を備え、かつ、介護用パンツの生地は内素材と外素材により構成され、この内素材と外素材の間に人体表面に向かって上下動する複数の突起部を設け、さらに介護用パンツの腰回り部と足回り部に、排泄時又は排泄物洗浄時に肌に密着する肌密着帯を備えると共に、この肌密着帯にパンツ外部からパンツ内部へ一方向の通気を可能にする通気路を設けたことを特徴とする介護用パンツ装置。
【請求項２】
パンツの内側に人体の排泄部を取り囲む膨張体を設け、排泄時又は排泄物洗浄時には上記膨張体が膨張して人体表面に密着すると共に、この膨張体にパンツ外部からパンツ内部へ一方向の通気を可能にする通気路を設けたことを特徴とする請求項１記載の介護用パンツ装置。
【請求項３】
着衣者の臀部に相当する箇所の左右対称位置に膨張袋を取り付け、排泄時又は排泄物洗浄時に上記膨張袋内の圧力を調整して着衣者の姿勢を左右対称にすることを特徴とする請求項１または請求項２に記載の介護用パンツ装置。
【請求項４】
請求項１ないし請求項３のいずれか１項に記載の介護用パンツ装置を含むと共に、着衣者の胴体部を被覆する介護用着衣を備え、少なくとも着衣者の背中部、臀部に相当する箇所の左右対称位置に膨張袋を取り付け、排泄時又は排泄物洗浄時に上記膨張袋内の圧力を調整して着衣者の姿勢を左右対称にすることを特徴とする介護用着衣装置。
【請求項５】
上記膨張袋内の圧力を調整して着衣者の姿勢を中心線を軸にして左右に重心移動させることを特徴とする請求項４記載の介護用着衣装置。
【請求項６】
少なくとも着衣者の背中部又は臀部に相当する箇所の介護用着衣の生地は内素材と外素材により構成され、この内素材と外素材の間に人体表面に向かって上下動する複数の突起部を設けると共に、これらの突起部に圧力センサを設け、この圧力センサが所定の体重圧を検知すると、当該圧力センサに対応する突起部が上下動することを特徴とする請求項４または請求項５に記載の介護用着衣装置。
【請求項７】
上記介護用着衣の内部に送風する手段を設けたことを特徴とする請求項６記載の介護用着衣装置。
【発明の詳細な説明】
【０００１】
【発明の属する技術分野】
この発明は、病人、幼児、体の不自由な人、自力でトイレに行くことが困難な人のための介護用パンツ又は介護用着衣装置に係り、排泄物を検知してパンツ内部を洗浄・乾燥し、またパンツ又は着衣内部を清潔に保ち、更に、着衣者の床づれを防止し、マッサージ効果を有する装置に関するものである。
【０００２】
【従来の技術】
従来、病人や幼児等がパンツを着用したままの状態で排泄できる排泄パンツとして、特開昭６１−３４２号に示すものがあった。この排泄パンツは、パンツ主体の肛門部又はその近傍に設けられ排出パイプを連設した伸縮自在な袋部と、パンツ主体の股部適所に配置した排泄物用センサーと、この排泄物センサーの作動により袋部にエアを供給するエア供給装置を備え、排泄時に自動的に袋部を膨らませるようにしたものである。
【０００３】
【発明が解決しようとする課題】
この発明は、上記従来の排泄パンツを改良し、より実用化したもので、排泄物や洗浄水を漏出させることなくパンツ内部全体を汚さないようにすることを目的とする。
【０００４】
また、排出パイプ内への排泄物の取込みをより確実に行わせ、排泄物や洗浄水の吸引時に、パンツ内部が真空状態にならず、効果的な吸引が可能になるようにする。
【０００５】
また、介護用パンツ又は介護用着衣に送られる空気、温水又は泡等を一定箇所に滞らせることなくパンツ又は着衣の内部全面に供給させるようにする。
【０００６】
また、介護用パンツ又は介護用着衣の着衣者の姿勢を排泄しやすい体勢にすると共に、パンツ又は着衣内部の洗浄を全体的に行わせる。
【０００７】
更に、床づれ防止機能、自動寝返り機能、マッサージ機能を有する介護用着衣を提供する。
【０００８】
【課題を解決するための手段】
請求項１の発明は、パンツ内部の排泄物を排出パイプ内に吸引してパンツ外部に排出すると共に、パンツ内部を洗浄する介護用パンツを備えた装置において、排泄物を排出パイプ内に取込む際は、人体の排泄部を取り囲むように開いた状態となり、排泄物を外部に排出する際は、排出パイプ内に引き込まれる状態となる排泄物取込部を備え、かつ、介護用パンツの生地は内素材と外素材により構成され、この内素材と外素材の間に人体表面に向かって上下動する複数の突起部を設け、さらに介護用パンツの腰回り部と足回り部に、排泄時又は排泄物洗浄時に肌に密着する肌密着帯を備えると共に、この肌密着帯にパンツ外部からパンツ内部へ一方向の通気を可能にする通気路を設けたことを特徴とする。
【０００９】
請求項２の発明は、請求項１記載の介護用パンツ装置において、パンツの内側に人体の排泄部を取り囲む膨張体を設け、排泄時又は排泄物洗浄時には上記膨張体が膨張して人体表面に密着すると共に、この膨張体にパンツ外部からパンツ内部へ一方向の通気を可能にする通気路を設けたことを特徴とする。
【００１０】
請求項３の発明は、請求項１または請求項２に記載の介護用パンツ装置において、着衣者の臀部に相当する箇所の左右対称位置に膨張袋を取り付け、排泄時又は排泄物洗浄時に上記膨張袋内の圧力を調整して着衣者の姿勢を左右対称にすることを特徴とする。
【００１１】
請求項４の発明の介護用着衣装置は、請求項１ないし請求項３のいずれか１項に記載の介護用パンツ装置を含むと共に、着衣者の胴体部を被覆する介護用着衣を備え、少なくとも着衣者の背中部、臀部に相当する箇所の左右対称位置に膨張袋を取り付け、排泄時又は排泄物洗浄時に上記膨張袋内の圧力を調整して着衣者の姿勢を左右対称にすることを特徴とする。
【００１２】
請求項５の発明は、請求項４記載の介護用着衣装置において、上記膨張袋内の圧力を調整して着衣者の姿勢を中心線を軸にして左右に重心移動させることを特徴とする。
【００１３】
請求項６の発明は、請求項４または請求項５に記載の介護用着衣装置において、少なくとも着衣者の背中部又は臀部に相当する箇所の介護用着衣の生地は内素材と外素材により構成され、この内素材と外素材の間に人体表面に向かって上下動する複数の突起部を設けると共に、これらの突起部に圧力センサを設け、この圧力センサが所定の体重圧を検知すると、当該圧力センサに対応する突起部が上下動することを特徴とする。
【００１４】
請求項７の発明は、請求項６記載の介護用着衣装置において、上記介護用着衣の内部に送風する手段を設けたことを特徴とする。
【００１５】
【発明の実施の形態】
実施の形態１．
図１はこの発明の実施の形態１による介護用パンツ１を示す構造図であり、一部の破断断面部をも示している。介護用パンツ１の生地は、図示（Ａ）に示すように内素材１ａと外素材１ｂを重ね合わせた二重構造となっている。通常の着用時には素材１ａ，１ｂは剥がれない状態となり、メンテナンス時には後述する供給パイプ２、突起部１１Ａ，１１Ｂ等を取り替え又は修理できるように相互に剥すことが可能な構造となっている。また、介護用パンツ１にはファスナー又はマジックテープ等からなる着脱部１４が設けられており、着衣者が腰を上げることなく寝たままの状態で介護用パンツ１を容易に着脱できるように構成されている。
【００１６】
内素材１ａと外素材１ｂの間には、適切な温度に保持された空気又は温水を送るための供給パイプ２がパンツ全面に渡って縦横に配置されている。そして、供給パイプ２の複数箇所には噴出孔が設けられパンツ内部に空気又は温水を吹き付ける構造となっている。内素材１ａは通気性、通水性の良好な素材により構成され、供給パイプ２から噴出される空気又は温水が人体表面にも達するようになっている。
【００１７】
また、内素材１ａと外素材１ｂの間には、パンツ全面又は着衣者の臀部に相当する部分に、図２（ａ）に示す突起部１１Ａ、又は図２（ｂ）に示す突起部１１Ｂが配設されている。図２（ａ）に示す突起部１１Ａは例えば先端がプラスチックで全体がゴム製の袋のようなものであり、その内部に圧力用パイプ１１０を通してオイル圧、エア圧、又は水圧が送られ、それぞれ個別に着衣者の体に向けて膨張・収縮する。また、ネット１２は所定の緊張を持って内素材１ａの内側に張られており、人体表面にフィットすると共に、突起部１１Ａから人体表面への直接刺激を防止する役割を果たす。図２（ｂ）に示す突起部１１Ｂは、同じくその内部に圧力用パイプ１１０を通してオイル圧、エア圧、又は水圧が送られ、それぞれ個別に上下に駆動制御される。突起部１１Ｂの先端は羽状の構造となっており、内素材１ａを介して人体表面に接触する構造となっている。
【００１８】
介護用パンツ１の腰回り部と足回り部には、それぞれ肌密着帯としての肌密着パイプ１０が取付けられている。この肌密着パイプ１０は、後述する圧力制御部２０から圧力用パイプ１２０を介して送られるオイル圧、エア圧、又は水圧によりそれぞれ収縮・膨張するように構成され、パンツ内部の洗浄時には肌に密着することによりパンツ外部への水漏れ、臭気漏れを遮断する役割を果たす。また、肌密着部１０にはパンツ外部から内部への一方向の通気を可能にする一方向弁を有する通気路１５が設けられ、後述する排泄物吸引装置５による排泄物の吸引効果（バキューム効果）を実行あらしめるようになっている。
【００１９】
また、介護用パンツ１の股間部分には排出パイプ３が取付けられており、その先端部分には排泄物を取り込むための排泄物取込部３Ａが設けられている。この排泄物取込部３Ａは、通常時又は排泄物検知時には扇状に開いて肛門、泌尿器、性器等の排泄部を取り囲む状態となっており、排泄物の排出後には排泄物とともに排出パイプ３に引き込まれるように構成されている。
【００２０】
また、介護用パンツ１には、肛門等の排泄部に対向した位置に、排泄物に多く含まれる化学物質（例えばアンモニア等）、排泄物の臭い、又は排泄物の重量を検出する排泄物検知センサ９が取付けられている。更に、肛門等の排泄部に向かって温水を噴射することにより排便を促し又は洗浄するための温水噴射パイプ１３が取付けられている。
【００２１】
排出パイプ３は、パイプ脱着部４により介護用パンツ１から分離し取り外しできるように構成されており、着衣者の移動時には介護用パンツ１と排出パイプ３との接続を取り外した後、通気性の良い栓をするようになっている。また、温水噴射パイプ１３、空気又は温水を送る供給パイプ２、圧力用パイプ１１０，１２０、及びセンサ９の信号線も上記排出パイプ３と同様に介護用パンツ１から切り離すことができるように構成されている。
【００２２】
図３は、図１の介護用パンツ１を含む介護用パンツ装置全体を示す構成図である。コントローラ１００は中央演算処理的な機能を果たすものであって、介護用パンツ１内部の圧力センサ３０および排泄物検知センサ９の検知信号を入力し、排泄物吸引装置５、送風機６、温水制御部７、切替コック８、圧力制御部２０に対し制御指令信号を送信する。
【００２３】
排泄物吸引装置５は排泄物を排出パイプ３を通して吸引する役割を果たすもので、吸引ポンプ等を内蔵している。また、排泄物吸引装置５は、排出パイプ３の先端部に設置した排泄部取込部３Ａの開閉、引き込み動作を制御する役割をも果たす。送風機６は、供給パイプ２を通して介護用パンツ１の内部全面に適切な温度に制御した空気を送り出し、パンツ内部の蒸れを防止する役割を果たす。温水制御部７は、洗浄時に供給パイプ２を通して介護用パンツ１の内部全面に適切な温度に制御した温水を送り出すと共に、温水噴射パイプ１３を通して排便を促し又は洗浄するための温水を送り出す役割を果たす。切替コック８は、供給パイプ２への送風機６の送風又は温水制御装置７の温水を切り替えるための制御弁である。圧力制御部２０は、圧力用パイプ１１０を通してオイル圧、エア圧、又は水圧を送り出して突起部１１Ａ又は１１Ｂの上下動作を制御すると共に、圧力用パイプ１２０を通してオイル圧、エア圧、又は水圧を送り出して肌密着パイプ１０の収縮・膨張を制御する。
【００２４】
次に、実施の形態１の介護用パンツ装置による洗浄動作について説明する。介護用パンツ１の排泄物検知センサ９が排泄物を検知すると、その検知信号がコントローラ１００に送られる。そして、コントローラ１００は排泄物吸引装置５に指令を出して排泄物取込部３Ａの通路を開くとともに、圧力制御部２０に指令を出し、圧力用パイプ１２０を介してオイル圧、エア圧、又は水圧を送り出し、肌密着パイプ１０内の圧力を高めて膨張させ、介護用パンツ１の腰回り部及び足回り部を肌に密着させてパンツ内部の臭気及び洗浄時の水分が外部に漏れないようにする。その後、コントローラ１００は温水制御部７に指令を出し、温水噴射パイプ１３により肛門等の排泄部に向かって温水を噴射し、排泄を促すとともに排泄部の洗浄を行う。
【００２５】
そして、排泄物が完全に排泄された所定時間Ｔ２経過後、コントローラ１００は排泄物吸引装置５に指令を出し、扇状に開いた排泄物取込部３Ａを排出パイプ３に引き込むと同時に吸引ポンプにより排泄物を吸引する。この時、肌密着部１０に設けている通気弁１５を通してパンツ外部から内部への通気が行われるので、排泄物吸引装置５による排泄物の吸引はスムーズに実施される。
【００２６】
なお、排泄物取込部３Ａは、通常時は排出パイプ３に引き込まれた状態にあり、排泄物検知センサ９により排泄物を検知した時に、排泄物を取り込むように扇状に開き、所定時間Ｔ２経過後、排出パイプ３に引き込まれるように構成しても良い。
【００２７】
次に、コントローラ１００は供給パイプ２の切替コック８を温水制御装置７側に切り替えるとともに、温水制御装置７から供給パイプ２及び温水噴射パイプ１３を通して洗浄剤を混合した温水又は洗浄材を混合した泡を介護用パンツ１に供給する。供給パイプ２に送られた温水又は泡はパンツ全面に渡って噴出してパンツ内部及び人体を洗浄する。一方、排泄物吸引装置５に取り込まれた排泄物は、携帯型の排泄物入れタンクに収納しても良いし、そのまま下水道施設に送り出しても良い。
【００２８】
介護用パンツ１内部の洗浄が終了すると、コントローラ１００は供給パイプ２の切替コック８を送風機６側に切り替えるとともに、送風機６から供給パイプ２を通して温風を介護用パンツ１の内部全面に供給して乾燥させる。この時、パウダー等も一緒に噴霧して湿気を除去しても良い。
【００２９】
次に、介護用パンツ１の突起部１１Ａ（１１Ｂ）の動作について説明する。コントローラ１００の指令により圧力制御部２０が圧力用パイプ１１０を介してオイル圧、エア圧、又は水圧を制御することにより、突起部１１Ａ（１１Ｂ）は膨張収縮又は上下動する。特に、介護用パンツ１内部の排泄物の洗浄時には、突起部１１Ａ（１１Ｂ）の全てを突出させたり、隣り合う突起部１１Ａ（１１Ｂ）のうち一方のみを突出させたり、又は隣り合う突起部１１Ａ（１１Ｂ）を交互に上下動させたりすることにより、内素材１ａと外素材１ｂの間に空間Ｓ１を作り、温水制御装置７から供給パイプ２を通して供給される温水又は泡や、送風機６から供給パイプ２を通して供給される温風を、一定箇所に滞らせることなく介護用パンツ１の内部全面に供給させることができる。なお、排泄物の洗浄時以外にも、複数の突起部１１Ａ，１１Ｂを動作させることにより、介護用パンツ１の内部全面に温水又は温風を供給させ、介護用パンツ内部の清潔さや快適さを維持するようにしても良い。
【００３０】
実施の形態２．
実施の形態２では、実施の形態１で述べた突起部１１Ａ（１１Ｂ）に体重圧を検知する圧力センサ３０（図２参照）を取り付け、それぞれ体重圧を感知して上下動することによりマッサージ機能を持たせるようにする。
【００３１】
すなわち、複数の突起部１１Ａ（１１Ｂ）に設置された圧力センサ３０が所定の体重圧Ｗ０以上の圧力値を検知すると、コントローラ１００は圧力制御部２０に対して指令を出す。そして、所定値Ｗ０以上を検知している圧力センサ３０が設置された突起部１１Ａ（１１Ｂ）の内部のオイル圧、エア圧又は水圧を制御することにより、突起部１１Ａ（１１Ｂ）を所定時間間隔をおいて上下運動させる。その結果、同じ箇所での体重圧による長時間の皮膚の圧迫が避けられ、うっ血、床づれを防止することができる。なおこの場合、隣り合う突起部１１Ａ（１１Ｂ）を交互に上下動させたり、複数の突起部１１Ａ（１１Ｂ）の列を波状的に上下動させることにより、心地よいマッサージ効果を得ることができる。
【００３２】
実施の形態３．
実施の形態３では、実施の形態１で述べた介護用パンツ１の内側に人体の排泄部を取り囲む膨張体１６を取り付け、排泄時又は排泄物洗浄時には膨張体１６が人体表面と密着することにより、排泄物をパンツ全体にまき散らさないようにする。
【００３３】
図４（ａ）は実施の形態３の膨張体１６を取り付けた介護用パンツ１を示す斜視図であり、図４（ｂ）は当該膨張体１６の構造を示す断面図である。図に示すように、介護用パンツ１の内素材１ａには、上述の圧力用パイプ１２０を介して送られる空気圧、オイル圧、水圧等により膨張するゴム等で構成された膨張体１６が取り付けられている。
【００３４】
排泄物検知センサ９が排泄物を検知すると、その検知信号がコントローラ１００に送られ、コントローラ１００は圧力制御部２０に指令を出し、圧力用パイプ１２０を介してオイル圧、エア圧、又は水圧を送り出し、膨張体１６の圧力を高めて膨らませる。
【００３５】
その結果、膨張体１６は人体表面並びに介護用パンツの外素材１ｂ又は突起部１１と密着することとなり、尿を含む排泄物が膨張体１６で囲まれた部分の外側に流出しなくなり、パンツ内部全体に広がることがなくなる。また、膨張体１６には介護用パンツの外側から膨張体１６で囲まれた内側への通気を可能にする例えば一方向弁を有する通気路１６ａが設けられ、排泄物吸引装置５による排泄物の吸引（バキューム）がスムーズに行くように構成されている。
【００３６】
実施の形態４．
実施の形態４では、実施の形態１で述べた介護用パンツ１の臀部の左右対称位置に膨張袋１８ａ，ｂを取り付け、排泄時又は排泄物洗浄時には膨張袋１８ａ，ｂの圧力の圧力を調整し、パンツ着衣者が排泄しやすい左右対称姿勢になるように矯正すると共に、パンツ内部の洗浄をスムーズに行わせるようにする。
【００３７】
図５は実施の形態４による膨張袋１８ａ，ｂを取り付けた介護用パンツ１の背部を示す斜視図である。図に示すように、介護用パンツ１の外側であって着衣者の臀部に相当する箇所に、体の中央線に対してほぼ左右対称位置に一対の膨張袋１８ａ，ｂが取り付けられる。この膨張袋１８ａ，ｂは、それぞれ圧力用パイプ１８０ａ，ｂを介して図３の圧力制御部２０から送られる空気圧、オイル圧、水圧等により膨張・収縮するように構成されている。
【００３８】
排泄物検知センサ９が排泄物を検知すると、その検知信号がコントローラ１００に送られ、コントローラ１００は圧力制御部２０に指令を出し、圧力用パイプ１８０ａ，ｂを介してオイル圧、エア圧、又は水圧を送り出し、膨張袋１８ａ，ｂの圧力を所定値に高めて膨らませる。この場合、膨張袋１８ａ，ｂに設置した圧力センサ１９ａ，ｂにより体重圧を検出し、コントローラ１００がその検出値に基づいて圧力制御部２０に指令を出し、左右の体重圧が均等になるように膨張袋１８ａ，ｂ内の圧力を調整する。
【００３９】
その結果、排泄時には、パンツ着衣者が寝たままの状態でもその臀部が左右均等になるように矯正されるので、排泄しやすくなる。また、排泄物洗浄時においても、パンツ内部の洗浄を左右対称に行わせることができる。
【００４０】
実施の形態５．
実施の形態５は、胴体部、臀部、大腿部等を被覆する介護用着衣装置に関し、その背部の左右対称位置に膨張袋を取り付け、排泄時又は排泄物洗浄時には膨張袋の圧力を調整し、パンツ着衣者が左右対称姿勢になるようにする。
【００４１】
図６は実施の形態５による膨張袋を取り付けた介護用着衣５０の背部を示す斜視図である。図において、介護用着衣５０は、着衣者の胴体部、臀部、大腿部を被覆するものであって、実施の形態１〜４で説明した介護用パンツ１を繋げた構造となっている。介護用着衣５０の外側であって着衣者の肩部、背中部、臀部、又は大腿部の裏側に相当する箇所に、体の中央線に対してほぼ左右対称位置に膨張袋５１ａ，ｂ、５２ａ，ｂ、５３ａ，ｂが取り付けられる。これら膨張袋は、それぞれ図示しない圧力用パイプを介して図３の圧力制御部２０から送られる空気圧、オイル圧、水圧等により膨張・収縮するように構成されている。
【００４２】
排泄物検知センサ９が排泄物を検知すると、その検知信号がコントローラ１００に送られ、コントローラ１００は圧力制御部２０に指令を出し、圧力用パイプを介してオイル圧、エア圧、又は水圧を送り出し、膨張袋５１ａ，ｂ、５２ａ，ｂ、５３ａ，ｂの圧力を所定値に高めて膨らませる。この場合、膨張袋に設置した圧力センサ（図示せず）により体重圧を検出し、コントローラ１００がその検出値に基づいて圧力制御部２０に指令を出し、左右の体重圧が均等になるように膨張袋内の圧力を調整する。なお、膨張袋５１ａ，ｂ、５２ａ，ｂはそれぞれ複数の膨張室ａ１，ａ２，ａ３，ａ４，ｂ１，ｂ２，ｂ３，ｂ４を有しており、各膨張室の圧力をそれぞれ制御することにより着衣者の姿勢をこまやかに調整することができる。
【００４３】
図７は実施の形態５の膨張袋による着衣者の排泄時又は洗浄時の姿勢例を示す図である。図において、膨張袋５１ａ，ｂの膨張室ａ１，ａ２，ｂ１，ｂ２を多めに膨らませ、膨張袋５１ａ，ｂの膨張室ａ３，ａ４，ｂ３，ｂ４を少なめに膨らませ、膨張袋５３ａ，ｂを膨らませることにより、着衣者の上体及び大腿部が少し起上がり、排泄しやすい体勢になる。
【００４４】
以上のように実施の形態５によれば、排泄時には、着衣者が寝たままの状態でも背部、臀部、大腿部等が左右均等になるように矯正されるので、排泄しやすくなる。また、排泄物洗浄時においても、パンツ内部の洗浄を左右対称に行わせることができる。
【００４５】
実施の形態６．
実施の形態６は、実施の形態５の介護用着衣装置において、その背部の左右対称位置に設けた膨張袋内の圧力を調整することにより、着衣者の姿勢を中心線を軸として左右に重心を移動させ、自動寝返り機能をもたせるようにした。
【００４６】
すなわち、各膨張袋５１ａ，ｂ、５２ａ，ｂ、５３ａ，ｂに設置された圧力センサ（図示せず）が所定の体重圧Ｗ０以上の圧力値を所定時間連続して検知すると、図示しない圧力制御装置により、所定値Ｗ０以上を検知している圧力センサ側の膨張袋の圧力を高め、左右反対側の膨張袋の圧力を弱める。その結果、所定時間連続して片側に寄っていた着衣者の姿勢を左右反対側に重心移動させ、床づれを防止させる。また、左右対称位置にある膨張袋５１ａ，ｂ、５２ａ，ｂ、５３ａ，ｂの膨張・収縮を所定時間ごとに交互に繰り返すことにより、寝返り機能を持たせることができる。
【００４７】
実施の形態７．
実施の形態７は、少なくとも胴体部、臀部を被覆する介護用着衣装置に関し、介護用着衣の内側に突起部を取り付け、この突起部を人体の表面に対して上下動させることによりマッサージ機能を持たせるようにする。
【００４８】
図８は実施の形態７による介護用パンツの全体構造図、及び介護用パンツの内部の突起部の構造を示す断面図である。図において、介護用着衣６０の生地は、内素材６０ａと外素材６０ｂの二重構造となっており、内素材６０ａと外素材６０ｂの間には、送風制御装置６２から適切な温度に保持された空気を送るための送風パイプ６３が縦横に配置されている。そして、送風パイプ６３の複数箇所には噴出孔が設けられ、着衣内部に空気を吹き付ける構造となっている。内素材６０ａは通気性の良好な素材により構成され、送風パイプ６３から噴出される空気が人体表面にも達するようになっている。
【００４９】
また、内素材１ａと外素材１ｂの間には、少なくとも着衣者の背中部又は臀部に相当する部分に、突起部６１ａ又は突起部６１ｂが配設されている。突起部６１ａは例えばゴム製袋のようなものであり、その内部に圧力用パイプ（図示せず）を通してオイル圧、エア圧、又は水圧が送られ、それぞれ個別に着衣者の体に向けて膨張・収縮する。また、ネットは所定の緊張を持って内素材６０ａの内側に張られており、人体表面にフィットすると共に、突起部６１ａから人体表面への直接刺激を防止する役割を果たす。突起部６１ｂは、同じくその内部に圧力用パイプを通してオイル圧、エア圧、又は水圧が送られ、それぞれ個別に上下に駆動制御される。突起部６１ｂの先端は羽状の構造となっており、内素材６０ａを介して人体表面に接触する構造となっている。
【００５０】
複数の突起部６１ａ（６１ｂ）には圧力センサが設置されており、この圧力センサが所定の体重圧Ｗ０以上の圧力値を検知すると、図示しない圧力制御部により、所定値Ｗ０以上を検知している圧力センサが設置された突起部６１ａ（６１ｂ）の内部のオイル圧、エア圧又は水圧を制御して、突起部６１ａ（６１ｂ）を所定時間間隔をおいて上下運動させる。その結果、同じ箇所での体重圧による長時間の皮膚の圧迫が避けられ、うっ血、床づれを防止することができる。なおこの場合、隣り合う突起部６１ａ（６１ｂ）を交互に上下動させたり、複数の突起部６１ａ（６１ｂ）の列を波状的に上下動させることにより、心地よいマッサージ効果を得ることができる。
【００５１】
【発明の効果】
請求項１の発明によれば、排泄物を排出パイプ内に取込む際は人体の排泄部を取り囲むように開いた状態となり、排泄物を外部に排出する際は排出パイプ内に引き込まれる状態となる排泄物取込部を備えたことにより、排泄物を排泄物取込部外に漏出させることなくパンツ内部全体を汚さないようにする効果がある。また、排出パイプ内への排泄物の取込みをより確実に行うことができる。
【００５２】
また、介護用パンツの内素材と外素材の間に人体表面に向かって上下動する複数の突起部を設けることにより、内素材と外素材の間に空間を確保することができ、パンツ内部に送られる空気、温水又は泡等を一定箇所に滞らせることなく介護用パンツの内部全面に供給させることができる。
【００５３】
さらに、介護用パンツの腰回り部と足回り部に、排泄時又は排泄物洗浄時に肌に密着する肌密着帯を備えることにより、排泄物や洗浄水をパンツより外側に漏出させない効果が得られる。また、この肌密着帯にパンツ外部からパンツ内部へ一方向の通気を可能にする通気路を設けることにより、排泄物や洗浄水を吸引する場合、パンツ内部が真空状態にならず、効果的な吸引が可能になる。
【００５４】
請求項２の発明によれば、パンツの内側に人体の排泄部を取り囲む膨張体を設け、排泄時又は排泄物洗浄時には膨張体が膨張して人体表面に密着するようにしたので、排泄物や洗浄水を膨張体より外側に漏出させることなくパンツ内部全体を汚さないようにする効果がある。また、この膨張体にパンツ外部からパンツ内部へ一方向の通気を可能にする通気路を設けることにより、排泄物や洗浄水を吸引する場合、膨張体で囲まれた部分が真空状態にならず、効果的な吸引が可能になる。
【００５５】
請求項３の発明によれば、着衣者の臀部に相当する箇所の左右対称位置に膨張袋を取り付け、排泄時又は排泄物洗浄時に膨張袋内の圧力を調整して着衣者の姿勢を左右対称にすることにより、着衣者が排泄しやすい体勢になる。また、排泄物洗浄時においても、パンツ内部の洗浄を左右対称に行わせることができる。
【００５６】
請求項４の発明によれば、少なくとも着衣者の背中部、臀部に相当する箇所の左右対称位置に膨張袋を取り付け、排泄時又は排泄物洗浄時に膨張袋内の圧力を調整して着衣者の姿勢を左右対称にすることにより、着衣者が排泄しやすい体勢になる。また、排泄物洗浄時においても、パンツ内部の洗浄を左右対称に行わせることができる。
【００５７】
請求項５の発明によれば、着衣者の背中部又は臀部に相当する箇所の左右対称位置に膨張袋を取り付け、膨張袋内の圧力を調整して着衣者の姿勢を中心線を軸にして左右に重心移動させることにより、床づれを防止すると共に、自動寝返り機能を持たせることができる。
【００５８】
請求項６の発明によれば、少なくとも着衣者の背中部又は臀部に相当する箇所の介護用着衣の内側に、人体表面に向かって上下動する複数の突起部を設けると共に、これらの突起部に圧力センサを設け、この圧力センサが所定の体重圧を検知すると、当該圧力センサに対応する突起部が上下動することにより、床づれを防止し、マッサージ機能を持たせることができる。
【００５９】
請求項７の発明によれば、介護用着衣の内部に送風する手段を設けることにより、上下動する突起部により内素材と外素材の間に空間を確保し、着衣内部に送られる空気、温水又は泡等を一定箇所に滞らせることなく介護用着衣の内部全面に供給させることができる。
【図面の簡単な説明】
【図１】  この発明の実施の形態１による介護用パンツを示す構造図である。
【図２】  実施の形態１の介護用パンツの内部の突起部の構造を示す断面図である。
【図３】  実施の形態１の介護用パンツを含む介護用装置全体を示す構成図である。
【図４】  実施の形態３による膨張体を取り付けた介護用パンツを示す図である。
【図５】  実施の形態４による膨張袋を取り付けた介護用パンツの背部を示す斜視図である。
【図６】  実施の形態５による膨張袋を取り付けた介護用着衣の背部を示す斜視図である。
【図７】  実施の形態５の膨張袋による着衣者の排泄時又は洗浄時の姿勢例を示す図である。
【図８】  実施の形態７による介護用パンツの全体構造図及び介護用パンツの内部の突起部の構造を示す断面図である。
【符号の説明】
１  介護用パンツ、１ａ，６０ａ  内素材、１ｂ，６０ｂ  外素材、３  排出パイプ、３Ａ  排泄物取込部、５  排泄物吸引装置、６  送風機、７  温水制御部、
９  排泄物検知センサ、１０  肌密着部、１１Ａ，１１Ｂ，６１ａ，６１ｂ  突起部、
１６，１８ａ，１８ｂ，５１ａ，５１ｂ，５２ａ，５２ｂ，５３ａ，５３ｂ  膨張体、
２０  圧力制御部、３０  圧力センサ、５０，６０  介護用着衣、６２  送風制御装置、１００  コントローラ。
【図１】
0004004701.tif 000002
【図２】
0004004701.tif 000003
【図３】
0004004701.tif 000004
【図４】
0004004701.tif 000005
【図５】
0004004701.tif 000006
【図６】
0004004701.tif 000007
【図７】
0004004701.tif 000008
【図８】
0004004701.tif 000009